(57)【要約】【課題】印刷される卒業アルバムの原稿の締め切り日から卒業日までの卒業アルバムが配られる卒業生及びこれに関連するデータがインターネットウェブ上で閲覧可能となるインターネットウェブ卒業アルバムを提供する。【解決手段】印刷される卒業アルバム１５と、印刷される卒業アルバム１５の原稿の締め切り日から卒業日までの卒業アルバム１５が配られる卒業生１４及びこれに関連するデータＡを保存するインターネットサーバ１３と、卒業アルバム１５に備えられ、インターネットサーバ１３に保存されたデータＡを含むデータをクライアント側において閲覧可能な卒業生１４の識別記号とを有し、卒業生１４が、インターネットサーバ１３に繋がるクライアント側のコンピュータ５３に識別記号を入力して、データを閲覧できる。【選択図】　　　　図１
2004139517.tif 000002
【特許請求の範囲】
【請求項１】
印刷される卒業アルバムと、
前記印刷される卒業アルバムの原稿の締め切り日から卒業日までの前記卒業アルバムが配られる卒業生及びこれに関連するデータＡを保存するインターネットサーバと、
前記卒業アルバムに備えられ、前記インターネットサーバに保存された前記データＡを含むデータをクライアント側において閲覧可能な前記卒業生の識別記号とを有し、
前記卒業生が、前記インターネットサーバに繋がるクライアント側のコンピュータに前記識別記号を入力して、前記データを閲覧できることを特徴とするインターネットウェブ卒業アルバム。
【請求項２】
印刷される卒業アルバムの原稿の締め切り日から卒業日までの前記卒業アルバムが配られる卒業生及びこれに関連するデータＡを保存するインターネットサーバと、
前記卒業アルバムに備えられ、前記インターネットサーバに保存された前記データＡを含むデータをクライアント側において閲覧可能な前記卒業生の識別記号とを有し、
前記卒業生が、前記インターネットサーバに繋がるクライアント側のコンピュータに前記識別記号を入力して、前記データを閲覧できることを特徴とするインターネットウェブ卒業アルバム。
【請求項３】
請求項１及び２のいずれか１項に記載のインターネットウェブ卒業アルバムにおいて、前記インターネットサーバのデータには、前記データＡの他に、前記卒業アルバムの全部又は一部からなるデータＢが含まれていることを特徴とするインターネットウェブ卒業アルバム。
【請求項４】
請求項１〜３のいずれか１項に記載のインターネットウェブ卒業アルバムにおいて、前記識別記号は、前記卒業アルバムに備えられた記憶媒体に保存されていることを特徴とするインターネットウェブ卒業アルバム。
【請求項５】
請求項１〜４のいずれか１項に記載のインターネットウェブ卒業アルバムにおいて、前記卒業生は、それぞれ別の識別記号を有し、前記卒業生は、該卒業生自身の個人データをクライアント側のコンピュータから変更することができることを特徴とするインターネットウェブ卒業アルバム。
【請求項６】
請求項１〜５のいずれか１項に記載のインターネットウェブ卒業アルバムにおいて、前記インターネットサーバは、学校毎の学校データ保存部を有していることを特徴とするインターネットウェブ卒業アルバム。
【請求項７】
請求項６記載のインターネットウェブ卒業アルバムにおいて、前記学校データ保存部には、同窓会サイトが形成されていることを特徴とするインターネットウェブ卒業アルバム。
【請求項８】
請求項１〜７のいずれか１項に記載のインターネットウェブ卒業アルバムにおいて、前記インターネットウェブ卒業アルバムに記録された写真を前記卒業生が発注する発注部を有することを特徴とするインターネットウェブ卒業アルバム。
【発明の詳細な説明】
【０００１】
【発明の属する技術分野】
本発明は、印刷される卒業アルバムの原稿の締め切り日から卒業日までの卒業アルバムが配られる卒業生及びこれに関連するデータがインターネットウェブ上で閲覧可能となるインターネットウェブ卒業アルバムに関する。
【０００２】
【従来の技術】
卒業アルバムは、全国のほとんどの学校で製作され、卒業生の想い出をつづるものとして大変貴重なものとなっている。また、卒業アルバムは紙に印刷され、卒業時に卒業生本人に手渡されていた。印刷された卒業アルバムは、長期保存（例えば、１００年）ができた。
また、紙媒体に替わる卒業アルバムとして、映像を記録した８ミリ、ビデオテープ（ＶＨＳ型、ベータ型）や、音声を記録したソノシート、カセットテープ等があり、静止画、動画、音声、テキストデータを記録したコンパクトディスク、デジタルビデオディスク、及び光磁気ディスク等があった。更に、卒業アルバムの記録内容を収録したサーバに公衆通信回線を介して複数の情報端末を接続し、この各情報端末からサーバを介して卒業アルバムの記録内容をアクセス可能とする卒業アルバムサービスシステムがあった（例えば、特許文献１参照）。
【０００３】
【特許文献１】
特開平１１−３１１４１号公報
【０００４】
【発明が解決しようとする課題】
しかしながら、前記従来の卒業アルバムは未だ解決すべき以下のような問題があった。
紙に印刷された卒業アルバムは、長期保存ができ、手軽に、しかも、電源、再生機器等の設備も必要としないという利点があった。しかしながら、卒業時に卒業生本人に手渡されるので、卒業アルバムの印刷、製本の作業の時間（通常、１０月から翌年の２月、３月まで）が必要であり、その卒業アルバムの原稿は、例えば、９月又は１０月に締め切られていた。このため、それ以降の行事（例えば、クリスマス会、卒業式等）の写真は、卒業アルバムには掲載が不可能であるという問題があった。また、卒業式後に、卒業式までの行事を掲載した卒業アルバムを作成することもあるが、卒業生はアルバム作成に参加できないという問題があった。
【０００５】
また、映像や音声等を記録した卒業アルバムは、再生機器の発展及び代替により、再生可能な機器が製造、販売されなくなり、卒業アルバムの内容を再現できないという問題があった。また、ビデオテープやカセットテープ等では、記憶媒体が経年変化や再生により劣化して、再現できなくなるという問題があった。コンパクトディスク、デジタルビデオディスク、及び光磁気ディスク等では、経年変化等による劣化は少ないが、記録面に傷が入ると、再現できなくなるという問題があった。更に、電源や再生機器等が必要となり、卒業アルバムを閲覧するために、場所等の制約を受けるという問題があった。
特許文献１に開示された卒業アルバム及び卒業アルバムサービスシステムは、印刷された卒業アルバムを配布しないので、卒業アルバムの再生機器や公衆通信回線がなければ、卒業アルバムを閲覧することができないという問題があった。更に、特許文献１の卒業アルバムサービスシステムは、卒業年度が異なると情報交換ができないという問題があった。
【０００６】
本発明はかかる事情に鑑みてなされたもので、印刷される卒業アルバムの原稿の締め切り日から卒業日までの卒業アルバムが配られる卒業生及びこれに関連するデータをインターネットウェブ上で閲覧可能となるインターネットウェブ卒業アルバムを提供することを目的とする。
【０００７】
【課題を解決するための手段】
前記目的に沿う第１の発明に係るインターネットウェブ卒業アルバムは、印刷される卒業アルバムと、印刷される卒業アルバムの原稿の締め切り日から卒業日までの卒業アルバムが配られる卒業生及びこれに関連するデータＡを保存するインターネットサーバと、卒業アルバムに備えられ、インターネットサーバに保存されたデータＡを含むデータをクライアント側において閲覧可能な卒業生の識別記号とを有し、卒業生が、インターネットサーバに繋がるクライアント側のコンピュータに識別記号を入力して、データを閲覧できる。これによって、印刷される卒業アルバムの長期保存（例えば、１００年）ができ、手軽に、しかも、電源、再生機器等の設備も必要としないという利点を有すると共に、印刷される卒業アルバムに載せることができなかった卒業アルバムの原稿の締切後の行事においても、卒業アルバムを作成することができる。従来、記載内容が卒業式の半年前くらいで終わっていた卒業アルバムを、卒業式までの完璧な卒業アルバムを作ることができる。また、インターネットウェブ卒業アルバムの閲覧には識別記号が必要なため、部外者がこの卒業アルバムを閲覧することができなくなり、プライバシーを保護することができる。また、識別記号は、学校毎の同じ卒業年度では、全ての卒業生に対し同じ識別記号を付与してもよく、卒業生一人一人に別の識別記号を付与してもよい。更に、識別記号は個人又は学校に固有の記号とパスワードの２つからなってもよい。
【０００８】
前記目的に沿う第２の発明に係るインターネットウェブ卒業アルバムは、印刷される卒業アルバムの原稿の締め切り日から卒業日までの卒業アルバムが配られる卒業生及びこれに関連するデータＡを保存するインターネットサーバと、卒業アルバムに備えられ、インターネットサーバに保存されたデータＡを含むデータをクライアント側において閲覧可能な卒業生の識別記号とを有し、卒業生が、インターネットサーバに繋がるクライアント側のコンピュータに識別記号を入力して、データを閲覧できる。これによって、卒業アルバムの原稿の締切後の行事においても、卒業アルバムを作成することができる。従来、卒業式の半年前くらいで終わっていた卒業アルバムを、卒業式までの完璧な卒業アルバムを作ることができる。また、インターネットウェブ卒業アルバムの閲覧には識別記号が必要なため、部外者がこの卒業アルバムを閲覧することができなくなり、プライバシーを保護することができる。また、識別記号は、学校毎の同じ卒業年度では、全ての卒業生に対し同じ識別記号を付与してもよく、卒業生一人一人に別の識別記号を付与してもよい。更に、識別記号は個人又は学校に固有の記号とパスワードの２つからなってもよい。
【０００９】
第１、第２の発明に係るインターネットウェブ卒業アルバムにおいて、インターネットサーバのデータには、データＡの他に、卒業アルバムの全部又は一部からなるデータＢを含んでもよい。これによって、印刷された卒業アルバムの内容も、インターネットウェブ上で見ることができる。
第１、第２の発明に係るインターネットウェブ卒業アルバムにおいて、識別記号は、卒業アルバムに備えられた記憶媒体に保存することもできる。これによって、インターネットウェブ卒業アルバムを閲覧するためには識別記号の記載された記憶媒体が必要となり、印刷された卒業アルバムを他人に貸しても、記憶媒体がなければ、他人はインターネットウェブ卒業アルバムを見ることはできないので、プライバシーの保護に繋がる。記憶媒体としては、フロッピィディスク、オーディオ・ビデオ用のコンパクトディスクやデジタルビデオディスク、光磁気ディスク等がある。
【００１０】
第１、第２の発明に係るインターネットウェブ卒業アルバムにおいて、卒業生は、それぞれ別の識別記号を有し、卒業生は、卒業生自身の個人データをクライアント側のコンピュータから変更することができるようにしてもよい。これによって、卒業生の識別記号から、個人を特定でき、セキュリティーが保護される。更に、インターネットサーバでの個人情報の変更ではなく、クライアント側のコンピュータから、簡単に住所、電話番号等の変更ができる。また、その情報を同窓生に知らせることができる。
第１、第２の発明に係るインターネットウェブ卒業アルバムにおいて、インターネットサーバは、学校毎の学校データ保存部を有することもできる。これによって、学校毎にインターネットサーバの学校データ保存部があるので、メンテナンス性がよい。
【００１１】
第１、第２の発明に係るインターネットウェブ卒業アルバムにおいて、学校データ保存部には、学校の同窓会サイトが形成されているのが好ましい。これによって、卒業生の近況や学生時代の想い出等を書き込み、バーチャル同窓会をすることができ、同窓生の親睦が深まる。
第１、第２の発明に係るインターネットウェブ卒業アルバムにおいて、インターネットウェブ卒業アルバムに記録された写真を卒業生が発注する発注部を有することもできる。これによって、インターネットウェブ卒業アルバムに記録された写真を簡単に受け取ることができる。
【００１２】
【発明の実施の形態】
続いて、添付した図面を参照しつつ、本発明を具体化した実施の形態につき説明し、本発明の理解に供する。
ここで、図１は本発明の一実施の形態に係るインターネットウェブ卒業アルバムの説明図、図２は同インターネットウェブ卒業アルバムの閲覧方法の説明図である。
【００１３】
図１を参照して、本発明の一実施の形態に係るインターネットウェブ卒業アルバム１０について説明する。インターネットウェブ卒業アルバム１０は、複数、例えば２校、すなわち学校Ｓ１　、Ｓ２　の卒業アルバムのデータをそれぞれ保存する学校データ保存部１１、１２を有するインターネットサーバ１３を備えている。インターネットサーバ１３は、管理者、例えば、卒業アルバムを作成する卒業アルバム作成業者が設置している。卒業アルバムのデータは、写真及び写真に付随する記事（文字）等をデジタルデータとしたもの、また、ビデオやカセットテープ等に記録した動画や音声等をデジタル化したものでもよい。写真は、フィルムや写真をスキャンニングしてデジタル化したり、デジタルカメラ等で撮影してデジタルデータとしたりする方法がある。また、文字はワープロ等で作成して、デジタル化したり、スキャンニングして画像としてデジタル化してもよい。画像や音声等のデータも、通常のデジタル化の方法によってデジタルデータとすることができる。
【００１４】
学校データ保存部１１は、学校Ｓ１　の卒業生１４（例えば、平成１４年度の卒業生）に配られる印刷される卒業アルバム１５の原稿の締め切り日から卒業日までの卒業生１４のデータ及び卒業生１４に関連するデータ（すなわちデータＡ）が保存されたデータＡ保存部１６、及び卒業アルバム１５の一部のデータＢが保存されたデータＢ保存部１７とを有している。ここで、データＡ保存部１６、データＢ保存部１７を含むインターネットサーバ１３の領域を、平成１４年度の卒業アルバムデータ保存部１８という。データＡ保存部１６には、原稿締め切り日から卒業日（例えば、１０月１５日から３月１５日）までのデータＡが格納されるので、印刷される卒業アルバム１５には記載できない冬休みの行事や卒業式等のデータが保存される。
【００１５】
データＡ保存部１６に保存されるデータは製本を目的としないので、写真等のデータは予めデジタル化しておくのが好ましい。デジタルカメラ、デジタルビデオカメラ、デジタルオーディオテープ等のデジタル機器を使用するとデジタル化する工程がなく作業性に優れる。
データＢ保存部１７に保存される卒業アルバム１５のデータは、卒業アルバム１５作成後、卒業アルバム１５を１ページ毎スキャンニングしてデジタル化してもよい。この場合は、印刷された卒業アルバム１５と全く同じように閲覧することができる。しかし、１ページ毎にスキャンニングすると画像のデータが大きくなる。そこで、卒業アルバム１５の写真、文字等の各データを、それぞれデジタルデータとして作成し、各データを別々にデジタルデータとすることにより、全体のデータ量を少なくすることができる。写真のデータは、紙に印刷された写真をスキャンニングしてデジタル化してもよく、予めデジタルカメラで撮影して、デジタルデータとしてもよい。
また、卒業アルバム１５の製版原稿を、予めデジタルデータとして作成し、卒業アルバム１５を印刷することもできる。また、データＢ保存部１７に保存される卒業アルバム１５のデータは、卒業アルバム１５の全てのデータ、及び卒業アルバム１５には紙面の都合上載せることができなかったデータを保存することもできる（以下、同様）。
【００１６】
また、インターネットサーバ１３には、卒業生１４と卒業年度の異なる卒業生１９、２０（例えば、それぞれ平成１３年度、平成１２年度の卒業生）の卒業アルバムデータ保存部２１、２２がそれぞれ設けられている。卒業アルバムデータ保存部２１、２２には、卒業アルバムデータ保存部１８と同様に、それぞれの卒業アルバム２３、２４の原稿の締め切り日から卒業日までの卒業生１９、２０のデータ及びこれに関連するデータ（すなわちデータＡ）が保存されたデータＡ保存部２５、２６、及び卒業アルバム２３、２４の一部のデータＢが保存されたデータＢ保存部２７、２８とを有している。
更に、学校Ｓ２　の学校データ保存部１２には、卒業生（例えば、それぞれ平成１４年度、平成１３年度、平成１２年度の卒業生）２９〜３１のそれぞれの卒業アルバムデータ保存部３２〜３４を有している。卒業アルバムデータ保存部３２〜３４には、それぞれ卒業生２９〜３１の卒業アルバム３５〜３７の原稿の締め切り日から卒業日までの卒業生２９〜３１及び卒業生２９〜３１に関連するデータＡが保存されたデータＡ保存部３８〜４０、及び卒業アルバム３５〜３７の一部のデータＢが保存されたデータＢ保存部４１〜４３を有している。
【００１７】
また、インターネットサーバ１３は、インターネットサーバ１３に保存されたデータをクライアント側において閲覧可能な卒業生１４、１９、２０、２９〜３１の各学校の各卒業年度別に設けられた識別記号Ｋ１　〜Ｋ６　を判定し、各学校Ｓ１　、Ｓ２　の各年度毎の卒業生１４、１９、２０、２９〜３１を、それぞれの卒業アルバム保存部１８、２１、２２、３２〜３４に振り分けるプログラムを有する識別記号判定部４４を有している。卒業生１４、１９、２０、２９〜３１の識別記号Ｋ１　〜Ｋ６　は、それぞれ所有の卒業アルバム１５、２３、２４、３５〜３７に添付されている記憶媒体の一例であるコンパクトディスク４５〜５０に保存されている。識別記号Ｋ１　〜Ｋ６　は、各学校Ｓ１　、Ｓ２　の各卒業年度別の固有の記号及びパスワードからなり、同じ卒業アルバムには、同じ識別記号が付与されている。
【００１８】
また、学校データ保存部１１、１２は、それぞれの学校Ｓ１　、Ｓ２　の同窓会サイトを形成する同窓会サイトデータ部５１、５２を有している。同窓会サイトデータ部５１、５２には、識別記号判定部４４によって、それぞれ学校Ｓ１　、Ｓ２　の卒業生のみがアクセスすることができ、識別記号を持たない部外者はアクセスすることができない。同窓会サイトデータ部５１、５２に保存されるデータは、学校紹介（例えば、学校の全景や教職員室、教室、体育館、プール、武道場等の建物の写真や学校の歴史等）、学校行事、及び卒業生の近況報告等が含まれる。これらのデータは、インターネットサーバ１３により直接入力してもよく、また、クライアント側のコンピュータからデータをインターネットサーバ１３に入力してもよい。更に、同窓会サイトデータ部５１、５２は、インターネットの掲示板プログラム、チャットプログラム、及びメーリングリストプログラムを備えてもよい。
【００１９】
次に、図１、図２を参照して、インターネットウェブ卒業アルバム１０の閲覧方法について説明する。
卒業生１４は、クライアント側のコンピュータ５３をインターネット網を介して、インターネットサーバ１３に接続する。また、コンピュータ５３にセットしたコンパクトディスク４５に保存されている、インターネットウェブ卒業アルバム１０を閲覧する閲覧プログラムを起動する。この閲覧プログラムは予めコンピュータ１４のハードディスク等の記憶媒体に保存しておいてもよい。その後、識別記号入力画面５４となり、コンパクトディスク４５に記憶されている識別記号Ｋ１　を入力する。この識別記号Ｋ１　は、コンパクトディスク４５に閲覧プログラムとは別に、テキスト書類として保存されている。
【００２０】
入力された識別記号Ｋ１　は、インターネットサーバ１３の識別記号判定部４４によって、識別記号判定部４４に保存されている学校の情報（各学校Ｓ１　、Ｓ２　の各卒業年度と識別記号Ｋ１　〜Ｋ６　がリンクされている）と比較され、入力された識別記号が卒業生１４の学校Ｓ１　の平成１４年の卒業生１４のものであるか否かが判定される。識別記号Ｋ１　の入力を間違えた場合、つまり、入力された識別記号が識別記号判定部４４に保存されていない場合には、コンピュータ５３にエラー表示がなされ、再度、識別記号入力画面５４から識別記号Ｋ１　の入力が要求される。識別記号Ｋ１　が一致すれば、学校Ｓ１　の平成１４年度（つまり、卒業生１４）のインターネットウェブ卒業アルバムのメニュー画面５５となる。
【００２１】
メニュー画面５５には、卒業アルバムデータ保存部１８に保存されているデータを閲覧する卒業アルバム閲覧部５６及び学校Ｓ１　の同窓会サイトデータ部５１に保存されているデータを閲覧する同窓会サイト閲覧部５７を備えている。卒業アルバムのデータを閲覧する場合には、卒業アルバム閲覧部５６を選択する。卒業生１４は、卒業アルバム閲覧部５６を選択し、データＡ保存部１６、データＢ保存部１７に保存されたデータを閲覧する卒業アルバム閲覧画面５８において卒業アルバムを閲覧することができる。卒業生１４は、卒業アルバム閲覧画面５８の写真がほしい場合には、卒業アルバム閲覧画面５８に設けられたは発注部（写真注文機能を有する）により、写真を注文することができる。
また、同窓会サイトのデータを閲覧する場合には、同窓会サイト閲覧部５７を選択し、同窓会サイト閲覧画面５９において同窓会サイトを閲覧することができる。
【００２２】
また、メニュー画面５５には、卒業生１４の個人データを変更する個人データ変更部６０、及び個人データを変更するためにそれぞれの卒業生固有の個人識別記号を登録する個人識別記号登録部６１を備えている。個人データとは、卒業生固有の個人識別記号、氏名や住所、電話番号等の名簿情報等のデータである。
まず、卒業生１４は、個人識別記号登録部６１において、予め卒業生１４の個人識別記号Ｌ１　（卒業生１４の固有の記号及びパスワード）の登録を行う。個人識別記号登録部６１を選択すると、個人識別記号登録画面６２となる。個人識別記号登録画面６２において、氏名、電子メールアドレスを入力すると、この電子メールアドレスに卒業生１４の個人識別記号Ｌ１　がメールされる。個人識別記号登録画面６２において、個人識別記号Ｌ１　を入力すると、卒業生１４の個人識別記号Ｌ１　が登録される。
【００２３】
個人データを変更する場合には、個人データ変更部６０を選択し、個人識別記号入力画面６３から個人識別記号Ｌ１　を入力する。識別記号判定部４４において、個人識別記号Ｌ１　が判定され、卒業生１４を特定することができる。個人識別記号Ｌ１　の入力を間違えた場合、コンピュータ５３にエラー表示がなされ、再度、個人識別記号入力画面６３から個人識別記号Ｌ１　の入力が要求される。個人識別記号Ｌ１　が一致すれば、卒業生１４の個人データ変更画面６４となる。
個人データ変更画面６４には、個人識別記号を変更する識別記号変更機能、氏名（結婚等で姓が変わる場合等）や住所、電話番号等の名簿情報変更機能等を有している。また、現在の所属（学校や会社等）を登録及び変更する機能を備えることもできる。名簿情報の変更を卒業生自身ができ、簡単に、しかも速やかにできる。また、名簿情報は、特定年齢、例えば、３０歳以下の情報を他人に開示しないようにすることもできる。これによって、個人（特に、若い女性）のプライバシーを保護し、犯罪等に巻き込まれないようにすることができる。
識別記号変更機能では、卒業生のパスワードを変更することができる。これによって、インターネットウェブ卒業アルバムのセキュリティーが向上する。
【００２４】
また、卒業生１９、２０、２９〜３１においても、それぞれのクライアント側のコンピュータ６５〜６９をインターネット網を介して、インターネットサーバ１３に接続し、コンピュータ６５〜６９にコンパクトディスク４６〜５０をセットして、それぞれコンパクトディスク４６〜５０に保存されたインターネットウェブ卒業アルバム１０を閲覧する閲覧プログラムを起動する。同じ学校の同じ卒業年度の卒業生の閲覧プログラムは、それぞれの卒業生に対応した別のプログラムとしてもよく、また、全く同じプログラムとして、卒業生１９、２０、２９〜３１のそれぞれの学校及び卒業年度の識別記号Ｋ２　〜Ｋ６　を識別記号判定部４４によって確認し、卒業生１９、２０、２９〜３１のより個別のメニュー画面となるようにしてもよい。閲覧プログラム起動後、識別記号入力画面５４となり、それぞれのコンパクトディスク４６〜５０に記憶されている識別記号Ｋ２　〜Ｋ６　を入力する。入力された識別記号Ｋ２　〜Ｋ６　は、インターネットサーバ１３の識別記号判定部４４により、卒業生１９、２０、２９〜３１のそれぞれの学校及び卒業年度であることが確認される。識別記号を間違えた場合には、再度、識別記号を入力する。識別記号が一致すれば、卒業生１９、２０、２９〜３１のそれぞれのメニュー画面５５となり、卒業アルバムや同窓会サイトの閲覧が可能である。更に、卒業生１９、２０、２９〜３１は、それぞれ個人識別記号Ｌ２　〜Ｌ６　を登録することにより、それぞれの個人データを、個人データ変更部６０において、変更することができる。
【００２５】
本発明は、前記した実施の形態に限定されるものではなく、本発明の要旨を変更しない範囲での変更は可能であり、例えば、前記した実施の形態や変形例の一部又は全部を組み合わせて本発明のインターネットウェブ卒業アルバムを構成する場合も本発明の権利範囲に含まれる。
例えば、前記実施の形態のインターネットウェブ卒業アルバムにおいて、インターネットサーバには２つの学校の卒業アルバムデータ保存部を備えているが、１又は３以上の学校の卒業アルバムデータを保存してもよい。また、インターネットサーバのデータを、複製し、保存するバックアップサーバを備えてもよい。また、インターネットサーバの管理者は、メンテナンスを考慮して卒業アルバム作成業者が設置しているが、その他の専門業者や各学校単位で設けてもよい。
【００２６】
また、識別記号を保存する記憶媒体としてコンパクトディスクを使用したが、フロッピィディスク、デジタルビデオディスク、光磁気ディスク、又は、その他の記憶媒体とすることもできる。
コンパクトディスクに記録された識別記号は、各学校の各卒業年度で同じとしたが、それぞれの卒業生に別の識別記号、つまり、個人識別記号を付与することもできる。この場合、記憶媒体には、それぞれの卒業生に対して異なった識別記号を設けなければならなくなる。
また、同窓生、卒業年度、クラス、及びクラブ単位の同窓会サイトを作成することもできる。また、コンパクトディスクに予め個人の識別記号を登録した起動プログラムを保存し、識別記号の入力をせずにインターネットサーバに接続してもよい。
【００２７】
【発明の効果】
請求項１及びこれに従属する請求項３〜８記載のインターネットウェブ卒業アルバムにおいては、印刷される卒業アルバムと、印刷される卒業アルバムの原稿の締め切り日から卒業日までの卒業アルバムが配られる卒業生及びこれに関連するデータＡを保存するインターネットサーバと、卒業アルバムに備えられ、インターネットサーバに保存されたデータＡを含むデータをクライアント側において閲覧可能な卒業生の識別記号とを有し、卒業生が、インターネットサーバに繋がるクライアント側のコンピュータに識別記号を入力して、データを閲覧できるので、印刷される卒業アルバムの長期保存ができ、手軽に、しかも、電源、再生機器等の設備も必要としないという利点を有すると共に、印刷される卒業アルバムに載せることができなかった原稿締切後の行事においても、閲覧することができる。従来、卒業式の半年前くらいで終わっていた卒業アルバムを、卒業式までの完璧な卒業アルバムを作ることができる。また、インターネットウェブ卒業アルバムの閲覧には識別記号が必要なため、部外者がこの卒業アルバムを閲覧することができなくなり、プライバシーを保護することができる。
【００２８】
請求項２及びこれに従属する請求項３〜８記載のインターネットウェブ卒業アルバムにおいては、印刷される卒業アルバムの原稿の締め切り日から卒業日までの卒業アルバムが配られる卒業生及びこれに関連するデータＡを保存するインターネットサーバと、卒業アルバムに備えられ、インターネットサーバに保存されたデータＡを含むデータをクライアント側において閲覧可能な卒業生の識別記号とを有し、卒業生が、インターネットサーバに繋がるクライアント側のコンピュータに識別記号を入力して、データを閲覧できるので、印刷される卒業アルバムの原稿の締切後の行事においても、閲覧することができる。従来、卒業式の半年前くらいで終わっていた卒業アルバムを、卒業式までの完璧な卒業アルバムを作ることができる。また、インターネットウェブ卒業アルバムの閲覧には識別記号が必要なため、部外者がこの卒業アルバムを閲覧することができなくなり、プライバシーを保護することができる。
【００２９】
特に、請求項３記載のインターネットウェブ卒業アルバムにおいては、インターネットサーバのデータには、データＡの他に、卒業アルバムの全部又は一部からなるデータＢが含まれているので、これによって、印刷された卒業アルバムの内容も、インターネットウェブ上で見ることができる。
請求項４記載のインターネットウェブ卒業アルバムにおいては、識別記号は、卒業アルバムに備えられた記憶媒体に保存されているので、インターネットウェブ卒業アルバムを閲覧するためには識別記号の記載された記憶媒体が必要となり、記憶媒体なしで部外者が、インターネットウェブ卒業アルバムを見ることはできなくなり、プライバシーの保護に繋がる。
【００３０】
請求項５記載のインターネットウェブ卒業アルバムにおいては、卒業生は、それぞれ別の識別記号を有し、卒業生は、卒業生自身の個人データをクライアント側のコンピュータから変更することができるので、卒業生の識別記号から、個人を特定でき、セキュリティーが保護される。更に、クライアント側のコンピュータから、簡単に住所、電話番号等の変更がで、その情報を同窓生に知らせることができる。
請求項６記載のインターネットウェブ卒業アルバムにおいては、インターネットサーバは、学校毎の学校データ保存部を有しているので、メンテナンス性がよい。
請求項７記載のインターネットウェブ卒業アルバムにおいては、学校データ保存部には、学校の同窓会サイトが形成されているので、卒業生の近況や学生時代の想い出等を書き込み、バーチャル同窓会をすることができ、同窓生の親睦が深まる。
請求項８記載のインターネットウェブ卒業アルバムにおいては、インターネットウェブ卒業アルバムに記録された写真を卒業生が発注する発注部を有しているので、写真を簡単に受け取ることができる。
【図面の簡単な説明】
【図１】本発明の一実施の形態に係るインターネットウェブ卒業アルバムの説明図である。
【図２】同インターネットウェブ卒業アルバムの閲覧方法の説明図である。
【符号の説明】
１０：インターネットウェブ卒業アルバム、１１、１２：学校データ保存部、１３：インターネットサーバ、１４：卒業生、１５：卒業アルバム、１６：データＡ保存部、１７：データＢ保存部、１８：卒業アルバムデータ保存部、１９、２０：卒業生、２１、２２：卒業アルバムデータ保存部、２３、２４：卒業アルバム、２５、２６：データＡ保存部、２７、２８：データＢ保存部、２９〜３１：卒業生、３２〜３４：卒業アルバムデータ保存部、３５〜３７：卒業アルバム、３８〜４０：データＡ保存部、４１〜４３：データＢ保存部、４４：識別記号判定部、４５〜５０：コンパクトディスク、５１、５２：同窓会サイトデータ部、５３：コンピュータ、５４：識別記号入力画面、５５：メニュー画面、５６：卒業アルバム閲覧部、５７：同窓会サイト閲覧部、５８：卒業アルバム閲覧画面、５９：同窓会サイト閲覧画面、６０：個人データ変更部、６１：個人識別記号登録部、６２：個人識別記号登録画面、６３：個人識別記号入力画面、６４：個人データ変更画面、６５〜６９：コンピュータ
【図１】
2004139517.tif 000003
【図２】
2004139517.tif 000004